(57)【要約】雄部品（１）と、前記雄部品（１）に結合するように構成される雌部品（２）と、前記雌部品（２）に結合するように構成されており、且つ前記接続要素（３）に接合するように構成される前記プロテーゼの保持要素を構成している接続要素（３）とを含むプロテーゼを固定するための歯科用アンカーシステム。前記歯科用アンカーシステムは、患者によってその使用中に荷重を受けたときに、前記プロテーゼの可動性を制御できる前記プロテーゼの自己調整可能な固定を達成するように構成されており、前記接続要素（３）のリング形状の平面（２０）の少なくとも一部が前記雌部品（２）のリング形状のストッパー（１４）と接触するときに、前記可動性は前記雌部品（２）のリング形状のストッパー（１４）によって制限される。
2021514807.tif 000002
【特許請求の範囲】
【請求項１】
プロテーゼを固定するための歯科用アンカーシステムであって、
雄部品（１）と、
前記雄部品（１）に結合するように構成される雌部品（２）と、
前記雌部品（２）に結合するように構成される接続要素（３）であって、前記接続要素（３）に接合するように構成されて、前記プロテーゼの保持要素を構成している、接続要素（３）とを含み、
前記雌部品（２）は、基部（２ａ）と、前記雄部品（１）が収容される内部空間（５）を画定する閉じた輪郭を有する側壁（２ｂ）とを含み、
前記接続要素（３）は、基部（３ａ）と、前記雌部品（２）の少なくとも一部が収容される内部空間（１８）を画定する閉じた輪郭を有する側壁（３ｂ）とを含み、
前記雌部品（２）は弾性材料でできており、
前記雌部品（２）と前記接続要素（３）とは互いに相対的に移動するように構成され、前記アンカーシステムに荷重が加えられたときに、その近傍への応力を減衰させ、前記雌部品（２）と接続要素（３）とは、曲面（１５）と湾曲した凹部（１９）とによって互いに結合して接触するように構成されており、前記曲面（１５）は、前記雌部品（２）の前記側壁（２ｂ）の外面（８）の一部を形成しており、前記湾曲した凹部（１９）は、前記接続要素（３）の前記側壁（３ｂ）の内面（３０）の一部を形成しており、
前記雌部品（２）の前記基部（２ａ）の外面（６）と、前記接続要素（３）の前記基部（３ａ）の内面（３２）との間に画定される隙間空間（２６）を含み、
前記雌部品（２）は、前記雌部品（２）の前記曲面（１５）の連続性を中断させる閉じた輪郭を有する導管（１６）を含み、前記導管（１６）の底部と前記雌部品（２）の内側面（９）との間にリング形状の狭窄部（１７）が構成され、前記導管（１６）と前記リング形状の狭窄部（１７）との組み合わせは、前記雌部品（２）に機械的弾性を提供し、
前記雌部品（２）の前記基部（２ａ）は、前記雌部品（２）の前記内部空間（５）と連通する貫通穴（４）を含むことを特徴とする、歯科用アンカーシステム。
【請求項２】
前記雌部品（２）の前記側壁（２ｂ）の前記外面（８）は、前記接続要素（３）の前記側面（３ｂ）の前記内面（３０）上に位置するリング形状の平面（２０）に面しているリング形状のストッパー（１４）を含むことを特徴とする、請求項１に記載のプロテーゼを固定するための歯科用アンカーシステム。
【請求項３】
前記リング形状の平面（２０）と前記リング形状のストッパー（１４）との間に中間分離空間（２１）を有し、前記雌部品（２）は、前記接続要素（３）の前記リング形状の平面（２０）の少なくとも一部が前記雌部品（２）の前記リング形状のストッパー（１４）と接触するようになるまで、前記接続要素に対して可動であることを特徴とする、請求項２に記載のプロテーゼを固定するための歯科用アンカーシステム。
【請求項４】
前記雌部品（２）は、前記雌部品（２）の前記基部（２ａ）の前記外面上に、前記接続要素（３）の前記基部（３ａ）の前記内面（３２）に位置する穴（２４）に面している突起部（２３）を有することを特徴とする、請求項２に記載のプロテーゼを固定するための歯科用アンカーシステム。
【請求項５】
前記雌部品（２）は、前記雄部品（１）と、前記雌部品（２）および前記接続要素（３）によって形成されるアセンブリと、の間の継手に機械的弾性を提供する少なくとも１つの放射状溝（１１）を含んでいるリング形状の縁（１０）によって画定される口部を含むことを特徴とする、請求項１〜４のいずれか一項に記載のプロテーゼを固定するための歯科用アンカーシステム。
【請求項６】
前記雌部品（２）の前記口部の前記リング形状の縁（１０）は、いくつかの放射状溝（１１）を含み、放射状溝（１１）の数の増加に応じて、前記雄部品（１）と、前記雌部品（３）および前記接続要素（３）によって形成される前記アセンブリとの間の前記継手の機械的弾性の程度を増加させることを特徴とする、請求項５に記載のプロテーゼを固定するための歯科用アンカーシステム。
【請求項７】
前記雄部品（１）の側面（１２）および前記雌部品（２）の前記側壁（２ｂ）の内面（９）との間に画定される側部隙間（１３）を含むことを特徴とする、請求項１〜６のいずれか一項に記載のプロテーゼを固定するための歯科用アンカーシステム。
【請求項８】
前記雌部品（２）の前記内面（９）は、前記雄部品の前記側面（１２）に位置するリング形状の突起部（１２a）と接触するように構成されるリング形状の開口部（9a）を含み、前記リング形状の突起部（１２a）は前記雌部品（２）の保持要素を構成することを特徴とする、請求項１〜７のいずれか一項に記載のプロテーゼを固定するための歯科用アンカーシステム。
【請求項９】
前記雌部品（２）の前記曲面（１５）は球状の幾何学的形状を含み、前記接続要素（３）の前記湾曲した凹部（１９）は球状の幾何学的形状を含むことを特徴とする、請求項１〜８のいずれか一項に記載のプロテーゼを固定するための歯科用アンカーシステム。
【発明の詳細な説明】
【技術分野】
【０００１】
（発明の目的）
本発明は、プロテーゼ（又は補綴：prosthesis）とインプラントとの間の自己調整可能な固定（又は締結：fastening）を可能にする、プロテーゼを固定するための歯科用アンカー（又は固着：anchoring）システムに関し、当該歯科用アンカーシステムの用途は、取り外し可能なプロテーゼ用である。歯科用アンカーシステムは、プロテーゼの自己調整可能な固定を可能にするように構成されており、また、患者によるプロテーゼの使用中に、プロテーゼが荷重（又は負荷：load）を受けたとき（又はさらされたとき：subjected）に、制御された方法でプロテーゼの動き(又は可動性：mobility）を抑制するように構成されている。
【背景技術】
【０００２】
（解決すべき技術的問題と発明の背景）
現在、歯科用プロテーゼは、固定プロテーゼ(fixed prostheses)と取り外し可能なプロテーゼ(removable prostheses)の２つの一般的なグループに分類される。
【０００３】
固定プロテーゼは締め付け（又は固定：fastening）ネジまたは歯科用セメントによって固定化されており、これらの場合、固定プロテーゼを有する患者は患者自身でそれを取り除くことができず、歯科医により当該プロテーゼが取り除かれなければならない。
【０００４】
対照的に、取り外し可能なプロテーゼは、患者が当該プロテーゼを取り外すことを可能にするアンカーによって固定される。
【０００５】
固定プロテーゼは、より自然な歯（それは取り外し可能ではない）のように見えるという利点があるが、患者がきれいに洗浄できないという大きな欠点がある。
【０００６】
さらに、取り外し可能なプロテーゼは、洗浄のための完全なアクセスを可能にするという利点を有するが、それは、取り外し可能なプロテーゼにおける可動性の一定の感覚(sensation)を患者が感じるという欠点を有する。
【０００７】
インプラント上で取り外し可能なプロテーゼを対象とする、サポートインプラント歯科用プロテーゼ(supported implant dental prostheses)の領域でのアンカーの使用は、過去数年で非常に一般的になってきており、前記アンカーは、取り外し可能な方法で、すなわち、歯科用プロテーゼを取り除くことができる可能性を有して、インプラント上にプロテーゼを保持するのに使用される。
【０００８】
インプラントは、骨結合性（又はオステオインテグレーション：osteointegration）によって患者の骨に固定され、当該インプラントは、挿入される歯科用プロテーゼを統合する(integrating)機構が固定される人工支持体として機能する。
【０００９】
一般的なアンカーは、ねじ付き雄部品、雌部品および一定の機械的弾性を持つ保持要素の３つの部分で構成されている。
【００１０】
現在の技術水準では、いくつかの保持構造を有するさまざまなタイプのアンカーがあり、最も一般的なものは以下のとおりである。
−テフロン（登録商標）または同様の材料で作られる、第１のボール形状の雄要素と第２の半球状雌要素とを含む金属アンカーを含んでいる球形構造。
−第１の円筒形雄要素と、円筒形の雄要素を実装する第２の「サドルタイプ(saddle-type)」の円筒形雌要素とを含む金属アンカーを含んでいる円筒形構造。
−トロイダル形状の第１の雄要素と、トロイダル形状で「ロケータータイプ(locator type)」の第２の雌要素を含む金属アンカーを含んでいるトロイダル構造。
【００１１】
すべてのアンカーは、保持要素の機械的弾性能力に基づいている。通常、プラスチックまたは金属材料が使用されるが、常にその幾何学的形状(geometry)を変更し、同じ幾何学的形状に戻ることができる弾性能力を有する。さらに、保持要素の弾性特性に有利な幾何学的形状と設計を使用するのが一般的である。また、アンカーは、前述の弾性特性に有利な最小の厚さでも使用される。
【００１２】
しかし、インプラントサポート歯科用プロテーゼ(implant supported dental prostheses)（プロテーゼはインプラント上にのみ固定されている）の領域に適用されている現在のアンカーは、歯科用プロテーゼを身につけている（又は運ぶ：carries）患者が可動性の感覚を有するまたは固定されていないプロテーゼを身につけていると感じるという、取り外し可能なプロテーゼによって生じる大きな問題を解決しない。
【００１３】
現在のアンカーの別の問題は、それらがプロテーゼの安定性にほとんど寄与せず、時々、主に適合（又は嵌合：fit）不良のために、その保持の欠如をもたらし、したがって、摩耗および保持の喪失に至ることである。
【００１４】
さらに、インプラント粘膜サポート歯科用プロテーゼ(implant-muco-supported dental prostheses)の領域に適用されるアンカー、すなわち、インプラントだけでなく歯茎にも固定されるプロテーゼは、それがさらされる可能性のある最大応力を吸収することに直面するとき、前述の低い安定性とは別に、インプラント上のプロテーゼを統合する(articulating)可能性を規定する特性である弾力性(resilience)の欠如を有し、それは使用者の不快感と固定具(fastenings)のより大きい摩耗に変換される。
【００１５】
本発明は、現在の技術水準では解決されていないこれらの問題を解決し、すなわち、取り外し可能なプロテーゼを達成するが、固定プロテーゼのコンセプトまたは感覚を伴う。
【発明の概要】
【００１６】
（発明の説明）
前のセクションで述べた目的を達成し、欠点を抑制することを目的として、本発明は、雄部品と、雄部品に結合するように構成される雌部品と、雌部品に結合するように構成される接続要素であって、それは前記接続要素に接合されるように構成されるプロテーゼの保持要素を構成する接続要素と、を含む固定プロテーゼのための歯科用アンカーシステムを提案する。
【００１７】
雌部品は、基部と、雄部品が収容される内部空間を画定する閉じた輪郭を有する側壁とを含む。さらに、接続要素は、基部と、雌部品の少なくとも一部が収容される内部空間を画定する閉じた輪郭を有する側壁とを含む。
【００１８】
雌部品および接続要素は、それらの間の相対的な動きを可能にするように構成され、前記雌部品は弾性材料でできている。
【００１９】
雌部品および接続要素は、曲面および湾曲した凹部によって互いに結合して接触するように構成されており、当該曲面は、雌部品の側壁の外面の一部を形成し、当該湾曲した凹部は、接続要素の側壁の内面の一部を形成する。
【００２０】
アンカーシステムは、雌部品の基部の外面と接続要素の基部の内面との間に画定される隙間空間(clearance space)をさらに含む。
【００２１】
雌部品の側壁の外面は、接続要素の側壁の内面に配置されるリング形状の平面に面しているリング形状のストッパー(stop)を含み、当該リング形状の平面と当該リング形状のストッパーとの間には、中間の分離空間があり、プロテーゼの可動性は、接続要素のリング形状の平面の少なくとも一部が雌部品のリング形状のストッパーと接触するとき、雌部品のリング形状のストッパーによって制限される。
【００２２】
雌部品は、前記雌部品の曲面の連続性を中断させる閉じた輪郭を有する導管を含み、前記導管の底部と雌部品の側壁の内面との間にリング形状の狭窄部が構成され、導管とリング形状の狭窄部との組み合わせは、雌部品に機械的弾性を提供し、その結果、雌部品がかんでいる（又はかみ合っている：chewing）間、接続要素と雌部品との間の接触点で生成された圧力により垂直荷重を受けるとき、雌部品は減衰効果(damping effect)を果たす。
【００２３】
雌部品の基部は、前記雌部品の内部空間と連通する貫通穴（又は貫通スロット：through slot）を含み、導管および貫通穴は、雌部品が荷重を受けたとき、雌部品と雄部品との間の適合を改善する。導管および貫通穴は、荷重の間に機械的弾性を提供して歯科用アンカーシステム内で支持され、ここで貫通穴は、雌部品の接続要素への挿入を可能にするものである。
【００２４】
荷重が加えられたとき、雌部品は貫通穴および導管の影響によって変形し、雄部品とその幾何学的形状に最適に適合する。
【００２５】
雌部品は、機械的弾性と、本発明のアンカーシステムを含むプロテーゼの組み立ておよび分解のサイクル数に関連する疲労に対するより長い持続時間と、を提供する少なくとも１つの放射状溝を含むリング形状の縁(rim)で画定される口部(mouth)を含む。
【００２６】
雌部品の口部のリング状の縁がいくつかの放射状溝を含むとき、前記放射状溝の数の増加に応じて、それは、雄部品と、雌部品および接続要素によって形成されるアセンブリとの間の継手(joint)の機械的弾性の程度を増加させる。
【００２７】
本発明のシステムの別の実施形態では、雌部品の基部の外面は、接続要素の基部の内面に位置する開口部に面する突起部(protuberance)を含む。この場合、歯科用アンカーシステムは中間分離空間を含まない。このすべては、接続要素の可動性および弾力性を抑制することを目的としており、すなわち前記接続要素を固定された状態に維持することを目的としている。
【００２８】
前の段落で記載した実施形態は、雌部品の突起部が接続要素の開口部の内側に隙間を空けて挿入されるサポートインプラントに適用可能である。この場合、プロテーゼはすべてのインプラントで安定している必要があり、固定プロテーゼのように動作する（又はふるまう：behaving）。この実施形態では、本発明のアンカーシステムは、雄部品の側面と雌部品の側壁の内面との間に画定される側部隙間(side clearance)を含む。ここで、前記側部隙間は、雌部品がかんでいる間に雄部品と雌部品との間の接触点で生成された圧力により垂直荷重を受けるとき、雌部品が変形し、雄部品の側面に適合するように構成され、雄部品と雌部品とのアセンブリに安定性を与える。
【００２９】
雌部品の側壁の内面は、雄部品の側面に位置したリング形状の突起部と接触するように構成されるリング形状の開口部を含み、前記リング形状の突起部は、雄部品に結合されたときに、雌部品の保持要素を構成する。
【００３０】
接続要素の内側の湾曲した凹部に関連する外側の曲面の雌部品は、かんでいる間に荷重を受けるとき、雌部品と接続要素との間の相対的な回転（又は中心を軸とした回転：rotation)または回転（円を描くような回転：turning)を可能にする。
【００３１】
本発明の一実施形態では、雌部品の外側の曲面は球状の幾何学的形状を含み、接続要素の湾曲した凹部も球状の幾何学的形状を含む。
【００３２】
本発明のアンカーシステムの設計は、かんでいる間の回転、弾性（減衰）および適合の継手組み合わせ(又は接合組み合わせ：joint combination)を可能にする。
【００３３】
本明細書をより容易に理解できるようにするのを補助する目的で、その必須な部分を構成する一組の図面を以下に含め、本発明の目的を限定ではなく例として示した。
【図面の簡単な説明】
【００３４】
【図１】図１は、本発明の目的である、プロテーゼを固定するための歯科用アンカーシステムの断面正面図を示す。それはアンカーシステムが可動性または弾力性を可能にする場合に適用可能である。それは、患者の歯茎の弾力性を伴うことを指す。
【図２】図２は、アンカーシステムが固定された挙動を得ようとすることにより可動性または弾力性を抑制する場合に、サポートインプラントに適用可能な歯科用アンカーシステムの断面正面図を示す。
【図３】図３は、荷重を受けた歯科用アンカーシステムの別の断面正面図を示す。
【図４】図４は、前記歯科用アンカーシステムを回転させる傾向のある荷重下での歯科用アンカーシステムの図を示す。
【図５】図５は、本発明のアンカーシステムの立体分解図(exploded view)を示す。
【図６】図６は、本発明の歯科用アンカーシステムの一部を形成する雌部品の底面図を示す。
【発明を実施するための形態】
【００３５】
（本発明の例示的な実施形態の説明）
図面で採用されている番号付けを考慮すると、プロテーゼを固定するための歯科用アンカーシステムは、雄部品１、雄部品１に結合される雌部品２、およびプロテーゼの保持要素を構成する接続要素３（図に示さず）を含み、接続要素３は、以下に記載するように、雌部品２に結合されている。
【００３６】
雄部品１は、従来の方法で、図に示されていないインプラントに一緒におよび個別に固定される。雌部品２は、本発明のアンカーシステムに基本的に利点を提供する部品、構成および設計である。
【００３７】
雌部品２は、雌部品２および一般に歯科用アンカーシステムに加えられる機械的弾性を提供する少なくとも１つの放射状(又は半径方向の：radial）溝１１を含むリング形状の縁１０によって画定される口部を有する囲い構造(又は囲まれた構造：enclosing structure）を有する。前記放射状溝１１は、使用者の口内でプロテーゼを組み立て／分解するためのサイクル数に関連する、雌部品２の疲労に対するより長い持続時間を提供する。
【００３８】
雌部品２は、基部２ａおよび側壁２ｂを含み、基部２ａは、雌部品２の内部空洞５と連通する貫通穴４を含み、プロテーゼが本発明のアンカーシステムの雌部品２および接続要素３によって雄部品１に固定されるときに、雄部品１は収容される。
【００３９】
図示される雌部品２は、貫通穴４が配置される方向に対して異なる方向に配向されて配置されるいくつかの放射状溝１１を含み、このすべては、前記雌部品２を弱体化（又は消耗：debilitating）させないことを目的とする。
【００４０】
注目すべき点は、放射状溝１１の数が増加するにつれて、雌部品２の機械的弾性が増加し、その結果として、雄部品１上の雌部品２を組み立て／分解するために必要な力が減少することである。
【００４１】
雌部品２の基部２ａは外面６および内面７を含み、一方で雌部品２の側壁２ｂは外面８および内面９を含み、ここで、雌部品２の内部空洞５は、基部２ａのその内面７によって、および側壁２ｂの内面９によって画定されている。
【００４２】
雌部品２の前記内部空洞５は円錐台の形態を含み、その内面９は、雄部品１の側面１２に位置したリング形状の突起部１２ａによって補完されるリング形状の開口部９ａを含み、雄部品１の前記リング形状の突起部１２ａは、雌部品２のリング形状の開口部９ａ内に適合し、前記リング形状の開口部９ａは、雌部品２のリング形状の縁１０に隣接している。
【００４３】
前の段落で述べたことに関して、雌部品２は、雄部品１のリング形状の突起部１２ａが収容される、前記雌部品２のリング形状の開口部９ａを介して雄部品１に固定され、雌部品２の側壁２ｂの内面９は、雄部品１の側面１２の少なくとも一部と接触しており、雌部品２の基部２ａの内面７は、円錐台の形態を有する雄部品１のより小さい基部に対応する雄部品１の表面１ａと接触している。注目すべきは、雌部品２が雄部品１に実装されたとき、雄部品１のリング形状の突起１２ａが雌部品２のリング形状の開口部９ａに接触していることである。
【００４４】
本発明の一実施形態では、図２に示すものと同様に、雄部品１の側面１２と雌部品２の側壁２ｂの内面９との間に、側部隙間１３が形成され、側部隙間１３は、雄部品１のリング状の突起１２ａと雌部品２のリング状の開口９ａとの間の接触領域において始まり、雄部品１のより小さい基部の表面１ａに対応して終了し、前記側部隙間１３はより大きいサイズを有する。
【００４５】
雌部品２の側壁２ｂの外面８は、リング形状のストッパー１４と、雌部品２の基部２ａの外面６を形成する平面と雌部品２のリング形状のストッパー１４との間に画定される曲面１５とを含む。
【００４６】
雌部品２は、曲面１５の連続性を中断する閉じた輪郭を有する導管１６を含み、それにより、前記導管１６の底部と雌部品２の側壁２ｂの内面９との間にリング形状の狭窄部１７が形成され、それは導管１６と共に雌部品２に追加の機械的弾性を提供し、一般に、それは本発明のアンカーシステムのアセンブリに追加の機械的弾性を提供する。
【００４７】
また導管１６は、貫通穴４とともに、雌部品２および歯科用アンカーシステムに追加の機械的弾性を提供し、雌部品２が荷重を受けるとき、それらはまた、雌部品２と雄部品１との間の適合を改善し、前記追加された機械的弾性および適合は、雄部品１と雌部品２との間に存在する側部隙間１３によってさらに改善される。
【００４８】
雌部品２の貫通穴４および導管１６は、それが受ける荷重をサポートするために歯科用アンカーシステムに機械的弾性を提供し、前記歯科用アンカーシステムを含むプロテーゼの組み立ておよび分解をさらに容易にし、それにより、荷重がサポートされているとき、雌部品２は、その導管１６および貫通穴４の効果を介して変形し、したがって、雄部品１の幾何学的形状に雌部品２を適合させるための最適な状態（又はモード:mode）を達成する。
【００４９】
接続要素３はまた、内部空間１８を画定する囲い構造を有し、その中に、雌部品２の一部が適合する。
【００５０】
接続要素３は、基部３ａと、外面２９と内面３０との間に画定される側壁３ｂとを含み、一方で接続要素３の基部３ａは、外面３１と内面３２との間に画定されている。
【００５１】
接続要素３の側壁３ｂの内面３０は、リング形状の平面２０と、雌部品２の曲面１５によって補完される湾曲した凹部１９とを含み、前記曲面１５は、接続要素３の基部３ａの内面３２に隣接する領域に位置する湾曲した凹部１９に適合するように構成される。
【００５２】
接続要素３の前記リング形状の平面２０は、雌部品２のリング形状のストッパー１４に面しており、リング形状の平面２０とリング形状のストッパー１４との間には、歯科用アンカーシステムが荷重を受けたときに、接続要素３および一般にプロテーゼの、制御された可動性を可能にする中間空間２１があり、それにより、前記可動性の制限は、接続要素３のリング形状の平面２０の一部が、雌部品２のリング形状のストッパー１４と接触するまで及ぶ。
【００５３】
さらに、雌部品２の基部２ａの外面６と接続要素３の基部３ａの内面３２との間には、隙間空間２６がある。
【００５４】
前の段落で言及した隙間空間２６は、接続要素３のリング形状の平面２０と雌部品２のリング形状のストッパー１４との間にある中間空間２１とともに、雌部品２の曲面１５で導かれる接続要素３の回転２２という制御された可動性を可能にし、この全ては、歯科用アンカーシステムが荷重を受けたとき、またはプロテーゼの組み立て／分解中、または使用者により身につけられるプロテーゼの使用中に、必要に応じてプロテーゼの回転を可能にする。
【００５５】
サポートインプラントの場合、プロテーゼはすべてのインプラントで安定している必要があり、固定プロテーゼのように動作する。そうするために、雌部品２は、その基部２ａの外面６上に、接続要素３の基部３ａの内面３２に位置する開口部２４に隙間を空けて挿入される突起部２３を有し、このすべてが図２に示される。雌部品の突起部２３は、接続要素３の開口部２４の底部と接触している。
【００５６】
図１は、雌部品２の基部２ａに突起部２３が無く、接続要素３の基部３ａが突起部２４を含む実施形態を示す。
【００５７】
図３に示されているものを考慮すると、雌部品２の基部２ａの外面６は、それが受ける荷重２８のために曲面を含み、この場合、前記曲面の一部は、接続要素３の基部３ａの開口部２４の底部の少なくとも１つの中央部分と接触し、また、接続要素３の基部３ａの開口部２４を画定する縁部２７と接触する。
【００５８】
保持された粘膜サポートインプラントプロテーゼ(retained and muco-supported implant prosthesis)の場合、すなわちプロテーゼがインプラントに固定されて歯茎上にある場合、前記プロテーゼは一定の弾力性を有している必要がある。
【００５９】
弾力性は、プロテーゼがインプラントに固定され、歯茎上にあるということを考慮に入れて、インプラントの近くにおいて（又はインプラントの近くに：in the vicinity of the implants）、プロテーゼが受ける応力を減衰させるためのプロテーゼが有する能力である。すなわち、その弾力性の効果がなければ、プロテーゼはインプラントに固定され、（これがインプラント内に生じさせる力のモーメント(moments)で）インプラントに埋め込まれたかのように動作し、それが受ける応力のために、プロテーゼの早期摩耗を起こす。
【００６０】
弾力性のおかげで、本発明の歯科用アンカーシステムによるプロテーゼのインプラントへの結合は、継手（又は関節：joint）のように動作し、これにより、力の前記モーメントを取り除くことができ、本発明のアンカーシステムによる固定のより高い耐久性を提供する。
【００６１】
弾力性は、雌部品２の基部２ａと接続要素３の基部３ａとの間に存在する隙間空間によって、雌部品２の導管１６によって、また雄部品１と雌部品２との間に画定される側部隙間１３によって達成される。
【００６２】
これらの分離のおかげで、制限され且つ制御された減衰が達成され、この減衰が非常に高い場合、可動プロテーゼの感覚に不都合が生じる可能性があり、前記制御された減衰は、プロテーゼにその効果的な寿命を増加させることを可能にする弾性効果を提供するのに十分である。
【００６３】
したがって、雌部品２の構造は、本発明の歯科用アンカーシステムに、適合、回転、および弾性力の能力を同時に提供する。
【００６４】
実際には、本発明のアンカーシステムによる固定プロテーゼの使用中に、また、それが組み立てられ、分解されるときに、接続要素３は、前記プロテーゼを通じて荷重を受け、 第１の場合において、荷重２８は、図３に示されるもののように、接続要素３の基部３ａに垂直に加えられ、第２の場合では、荷重２５は別の方向の配向を有し、その結果、この第２の場合では、少なくともプロテーゼは、接続要素３とともに、接続要素３を回転させる傾向のある複合可動性を有する。
【００６５】
アンカーシステムが雄部品１と雌部品２との間に画定される側部隙間１３を含むとき、もし接続要素３がプロテーゼを通じて荷重を受ける場合、そのときは雌部品２の内面９の一部が雄部品１の側面１２の一部で終端になるまで（又は終わりになる：abuts against）まで雌部品２も動く。
【図１】
2021514807.tif 000003
【図２】
2021514807.tif 000004
【図３】
2021514807.tif 000005
【図４】
2021514807.tif 000006
【図５】
2021514807.tif 000007
【図６】
2021514807.tif 000008
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
プロテーゼを固定するための歯科用アンカーシステムであって、
雄部品（１）と、
前記雄部品（１）に結合するように構成される雌部品（２）と、
前記雌部品（２）に結合するように構成される接続要素（３）であって、前記接続要素（３）に接合するように構成されて、前記プロテーゼの保持要素を構成している、接続要素（３）とを含み、
前記雌部品（２）は、基部（２ａ）と、前記雄部品（１）が収容される内部空間（５）を画定する閉じた輪郭を有する側壁（２ｂ）とを含み、
前記接続要素（３）は、基部（３ａ）と、前記雌部品（２）の少なくとも一部が収容される内部空間（１８）を画定する閉じた輪郭を有する側壁（３ｂ）とを含み、
前記雌部品（２）は弾性材料でできており、
前記雌部品（２）と前記接続要素（３）とは互いに相対的に移動するように構成され、前記アンカーシステムに荷重が加えられたときに、その近傍への応力を減衰させ、前記雌部品（２）と前記接続要素（３）とは、曲面（１５）と湾曲した凹部（１９）とによって互いに結合して接触するように構成されており、前記曲面（１５）は、前記雌部品（２）の前記側壁（２ｂ）の外面（８）の一部を形成しており、前記湾曲した凹部（１９）は、前記接続要素（３）の前記側壁（３ｂ）の内面（３０）の一部を形成しており、
前記雌部品（２）の前記基部（２ａ）の外面（６）と、前記接続要素（３）の前記基部（３ａ）の内面（３２）との間に画定される隙間空間（２６）を含み、
前記雌部品（２）は、前記雌部品（２）の前記曲面（１５）の連続性を中断させる閉じた輪郭を有する導管（１６）を含み、前記導管（１６）の底部と前記雌部品（２）の内側面（９）との間にリング形状の狭窄部（１７）が構成され、前記導管（１６）と前記リング形状の狭窄部（１７）との組み合わせは、前記雌部品（２）に機械的弾性を提供し、
前記雌部品（２）の前記基部（２ａ）は、前記雌部品（２）の前記内部空間（５）と連通する貫通穴（４）を含むことを特徴とする、歯科用アンカーシステム。
【請求項２】
前記雌部品（２）の前記側壁（２ｂ）の前記外面（８）は、前記接続要素（３）の前記側壁（３ｂ）の前記内面（３０）上に位置するリング形状の平面（２０）に面しているリング形状のストッパー（１４）を含むことを特徴とする、請求項１に記載のプロテーゼを固定するための歯科用アンカーシステム。
【請求項３】
前記リング形状の平面（２０）と前記リング形状のストッパー（１４）との間に中間分離空間（２１）を有し、前記雌部品（２）は、前記接続要素（３）の前記リング形状の平面（２０）の少なくとも一部が前記雌部品（２）の前記リング形状のストッパー（１４）と接触するようになるまで、前記接続要素に対して可動であることを特徴とする、請求項２に記載のプロテーゼを固定するための歯科用アンカーシステム。
【請求項４】
前記雌部品（２）は、前記雌部品（２）の前記基部（２ａ）の前記外面上に、前記接続要素（３）の前記基部（３ａ）の前記内面（３２）に位置する穴（２４）に面している突起部（２３）を有することを特徴とする、請求項２に記載のプロテーゼを固定するための歯科用アンカーシステム。
【請求項５】
前記雌部品（２）は、前記雄部品（１）と、前記雌部品（２）および前記接続要素（３）によって形成されるアセンブリと、の間の継手に機械的弾性を提供する少なくとも１つの放射状溝（１１）を含んでいるリング形状の縁（１０）によって画定される口部を含むことを特徴とする、請求項１〜４のいずれか一項に記載のプロテーゼを固定するための歯科用アンカーシステム。
【請求項６】
前記雌部品（２）の前記口部の前記リング形状の縁（１０）は、いくつかの放射状溝（１１）を含み、放射状溝（１１）の数の増加に応じて、前記雄部品（１）と、前記雌部品（３）および前記接続要素（３）によって形成される前記アセンブリとの間の前記継手の機械的弾性の程度を増加させることを特徴とする、請求項５に記載のプロテーゼを固定するための歯科用アンカーシステム。
【請求項７】
前記雄部品（１）の側面（１２）および前記雌部品（２）の前記側壁（２ｂ）の内面（９）との間に画定される側部隙間（１３）を含むことを特徴とする、請求項１〜６のいずれか一項に記載のプロテーゼを固定するための歯科用アンカーシステム。
【請求項８】
前記雌部品（２）の前記内面（９）は、前記雄部品の前記側面（１２）に位置するリング形状の突起部（１２a）と接触するように構成されるリング形状の開口部（9a）を含み、前記リング形状の突起部（１２a）は前記雌部品（２）の保持要素を構成することを特徴とする、請求項１〜７のいずれか一項に記載のプロテーゼを固定するための歯科用アンカーシステム。
【請求項９】
前記雌部品（２）の前記曲面（１５）は球状の幾何学的形状を含み、前記接続要素（３）の前記湾曲した凹部（１９）は球状の幾何学的形状を含むことを特徴とする、請求項１〜８のいずれか一項に記載のプロテーゼを固定するための歯科用アンカーシステム。
【国際調査報告】
2021514807.tif 000009
2021514807.tif 000010
2021514807.tif 000011